(57)【要約】【課題】従来のコージェネレーションシステムの構成では、燃料電池による貯留タンク内に滞留している湯水の再加熱と、給湯系統に設けられた給湯装置によって加熱された湯水を使用した給湯とを独立的に行うことができるものの、その切り替えは、貯留手段内の液体が十分殺菌されない状態で排出されることを防止することのみを目的としており、コージェネレーションシステムから排出される給湯水がそのまま飲用可能ではないという課題を有している。【解決手段】給湯装置に貯湯タンク９内の湯を送らずにバイパス管を介して給水管の水を送るよう切換手段を切り換えると共に給湯装置に加熱動作させる。【選択図】図１
2010276209.tif 000002
【特許請求の範囲】
【請求項１】
貯湯タンクと、前記貯湯タンク内下部の水を発電時の排熱を利用して加熱して前記貯湯タンクに戻す熱回収ユニットと、前記貯湯タンクに給水する給水管と、前記貯湯タンク内上部の湯を給湯に利用するための給湯経路と、前記給湯経路の途中に設けられた瞬間式給湯機と、一端が前記給水管の途中に接続され他端が前記貯湯タンクと前記瞬間式給湯機との間の前記給湯経路に接続されたバイパス管と、前記瞬間式給湯機に前記貯湯タンク内上部の湯を送るか前記バイパス管を介して前記給水管の水を送るかを切り換える切換手段と、前記切換手段と前記瞬間給湯機を制御する給湯制御手段と、使用者が前記給湯経路から出る湯を飲用したい場合に操作する飲用選択手段を備え、前記給湯制御手段は、前記飲用選択手段が操作されると、前記瞬間式給湯機に前記貯湯タンク内上部の湯を送らずに前記バイパス管を介して前記給水管の水を送るよう前記切換手段を切り換えると共に前記瞬間式給湯機に加熱動作させるコージェネレーションシステム。
【請求項２】
前記飲用選択手段が操作された場合に、音または音声により使用者に給湯回路の切り換えを報知する報知手段を備えた請求項１記載のコージェネレーションシステム。
【請求項３】
前記飲用選択手段が操作された場合に、光または表示により使用者に給湯回路の切り換えを報知する報知手段を備えた請求項１記載のコージェネレーションシステム。
【請求項４】
前記報知手段は、前記飲用選択手段の近くに設けられる請求項２または３記載のコージェネレーションシステム。
【請求項５】
前記報知手段は、前記給湯経路の湯の出口の近くに設けられる請求項２または３記載のコージェネレーションシステム。
【請求項６】
前記飲用選択手段が操作された後、前記給湯経路から出る湯が飲用に適した状態になったか否かを判定する判定手段を備え、前記判定手段が前記給湯経路から出る湯が飲用に適した状態になったと判定すると、そのことを前記報知手段が報知する請求項２から５のいずれか１項記載のコージェネレーションシステム。
【発明の詳細な説明】
【技術分野】
【０００１】
本発明はソーラー給湯機、ガス発電、燃料電池等の廃熱を給湯に使用することを目的としたコージェネレーションシステムにおいて、飲用に適する給湯を供給することができる利便性に優れたコージェネレーションシステムに関するものである。
【背景技術】
【０００２】
従来の貯湯式コージェネレーションシステには次に記載されているようなものがあった（例えば、特許文献１参照）。
【０００３】
図２は、特許文献１に記載された従来のコージェネレーションシステムを示す。図２に示すように、当該コージェネレーションシステムでは、貯留タンク１０に貯留される湯水を加熱するための加熱系統Ｈと、給湯用の湯水を排出するための給湯系統Ｍ、外部から低温の湯水を供給するための給水系統Ｃを備えている。給湯系統Ｍの中途には、加熱系統Ｈと給湯系統Ｍとを遮断可能な給湯側三方弁３２が設けられている。当該コージェネレーションシステムは、給湯側三方弁３２を作動させて加熱系統Ｈと給湯系統Ｍとを遮断した状態で加熱系統Ｈに設けられた燃料電池５による貯留タンク１０内に滞留している湯水の再加熱と、給湯系統Ｍに設けられた給湯装置３１によって加熱された湯水を使用した給湯とを独立的に行うことができる。
【先行技術文献】
【特許文献】
【０００４】
【特許文献１】特開２００６−３４９２４８号公報
【発明の概要】
【発明が解決しようとする課題】
【０００５】
しかしながら、前記従来の構成では、燃料電池５による貯留タンク１０内に滞留している湯水の再加熱と、給湯系統Ｍに設けられた給湯装置３１によって加熱された湯水を使用した給湯とを独立的に行うことができるものの、その切り替えは、貯留手段内の液体が十分殺菌されない状態で排出されることを防止することのみを目的としており、コージェネレーションシステムから排出される給湯水がそのまま飲用可能ではないという課題を有していた。
【課題を解決するための手段】
【０００６】
前記従来の課題を解決するために、本発明のコージェネレーションシステムでは使用者が前記給湯経路から出る湯を飲用したい場合に操作する飲用選択手段を備え、前記給湯制御手段は、前記飲用選択手段が操作されると、前記瞬間式給湯機に前記貯湯タンク内上部の湯を送らずに前記バイパス管を介して前記給水管の水を送るよう前記切換手段を切り換えると共に前記瞬間式給湯機に加熱動作させるものである。
【発明の効果】
【０００７】
本発明のコージェネレーションシステムよれば、使用者の意思により、貯湯タンク内の飲用に適さない貯水を使用することなく、新鮮な給水を加熱した飲用可能な温水を供給することができるコージェネレーションシステムを提供することができる。
【図面の簡単な説明】
【０００８】
【図１】本発明の実施の形態におけるコージェネレーションシステムを示す構成図
【図２】従来のコージェネレーションシステムを示す構成図
【発明を実施するための形態】
【０００９】
第１の発明は、使用者の意思により、貯湯タンク内の飲用に適さない貯水を使用することなく、新鮮な給水を加熱した飲用可能な温水を供給することができるコージェネレーションシステムを提供することができる。
【００１０】
第２の発明は、特に、第１の発明において、飲用選択手段が操作された場合に、音または音声により使用者に給湯回路の切り換えを報知する報知手段を備えて使用者に飲用状態に切り替わった状態であることを明確に知らしめることができる。
【００１１】
第３の発明は、特に、第１の発明において、飲用選択手段が操作された場合に、光または表示により使用者に給湯回路の切り換えを報知する報知手段を備えて使用者に飲用状態に切り替わった状態であることを明確に知らしめることができる。
【００１２】
第４の発明は、特に、第２または３の発明において、飲用選択手段の近くに、音または音声により使用者に給湯回路の切り換えを報知する報知手段または光または表示により使用者に給湯回路の切り換えを報知する報知手段を備えて使用者に飲用状態に切り替わった状態であることを明確に知らしめることができる。
【００１３】
第５の発明は、特に、第２または３の発明において、給湯経路の湯の出口の近くに、音または音声により使用者に給湯回路の切り換えを報知する報知手段または光または表示により使用者に給湯回路の切り換えを報知する報知手段を備えて使用者に飲用状態に切り替わった状態であることを明確に知らしめることができる。
【００１４】
第６の発明は、特に、第２から５のいずれかの１つの発明において、給湯経路から出る湯が飲用に適した状態になったか否かをタイマ、積算流量などで判定する判定手段を備え、判定手段が給湯経路から出る湯が飲用に適した状態になったと判定すると、そのことを報知手段により報知することができる。
【００１５】
以下本発明の実施の形態について、図面を参照しながら説明する。なお、本実施の形態により本発明が限定されるものではない。
【００１６】
（実施の形態１）
図１は、本発明の実施の形態１におけるガス給湯装置を利用したコージェネレーションシステムの構成図である。
【００１７】
基本構成としてバックアップ熱源機としてのガス給湯装置Ａ、貯湯タンク９と温水制御部を備えた貯湯ユニットＢ、発電ユニットＣから構成されている。
【００１８】
実際のコージェネレーションシステムでは給湯運転、風呂運転、暖房運転の３つのパターンが可能なシステムを構成するが、本構成図では、代表して給湯運転機能を表している。
【００１９】
給湯栓６が開かれると、給水口８からの給水が給水管路Ｌ１を通り貯湯タンク９に導かれる。更に給水は給水管路Ｌ２からガス給湯装置Ａに導かれる。ガス給湯装置Ａを通過した給水は給水管路Ｌ３、水量制御弁１３、給水管路Ｌ４を通って給湯栓６から給湯される。
【００２０】
一方、給水口８からのもう一方の給水は給水管路Ｌ５を通ってバイパス弁１４を通り、給水管路Ｌ３と混合され、給水管路Ｌ４を通って給湯栓６から給湯される。
【００２１】
ここで貯湯タンク９内の貯水がリモコン１２で設定された湯温より十分高い場合は前述の水量制御弁１３に導かれた貯湯タンク９からの温水とバイパス弁１４へ導かれた給水が混合されて所定の温水になる。この温水は給水管路Ｌ２からガス給湯装置Ａの給湯熱交換器３２を通り給水管路Ｌ３から給湯栓３へ導かれる。この時、ガス給湯装置Ａのバーナー３１は燃焼を行わない。
【００２２】
次に、貯湯タンク９内の貯水がリモコン１２で設定された湯温より低い場合は、貯湯タンク９内の貯水がリモコン１２で設定された湯温より十分高い場合と同様に給水管路Ｌ２からガス給湯装置Ａに導かれる。この時、水量センサ４４の検出した流量が点火水量以上であれば、燃焼ファン３５が回転し、図示されていないガス元弁、ガス比例弁から供給されるガスによりバーナー３１が燃焼する。ガス給湯装置Ａに導かれた設定温度より低い給水は熱交換器３２で加熱され、所定の湯温になって管路Ｌ３からガス給湯装置Ａから排出され給水管路Ｌ３から水量制御弁１３、給水管路Ｌ４を通り給湯栓３へ導かれる。この時、バイパス弁１４は閉止されている。
【００２３】
次にリモコン１２の切り替えスイッチにより給湯飲用モードが選択されると貯湯タンク閉止弁４０が閉止し、給水閉止弁４１か開状態になる。この状態で給湯栓６が開けられると給水口８からの給水は貯湯タンク９内を通過することなく、給水管路Ｌ６、給水閉止弁４１を通って、給水管路Ｌ２を通って、ガス給湯装置Ａに導かれる、この時は給水温度はリモコン１２で設定された湯温より低いので、貯湯タンク９内の貯水が給水管路Ｌ２からガス給湯装置Ａに導かれる。この時、水量センサ４４の検出した流量が点火水量以上であれば、燃焼ファン３５が回転し、図示されていないガス元弁、ガス比例弁から供給されるガスによりバーナー３１が燃焼する。ガス給湯装置Ａに導かれた設定温度より低い給水は熱交換器３２で加熱され、所定の湯温になって管路Ｌ３からガス給湯装置Ａから排出され給水管路Ｌ３から水量制御弁１３、給水管路Ｌ４を通り給湯栓３へ導かれる。この時、バイパス弁１４は閉止されている。
【００２４】
（実施の形態２）
次に、飲用選択手段が操作された場合に、音または音声により使用者に給湯回路の切り換えを報知する報知手段の実施例について図１を用いて説明する。
【００２５】
リモコン１２に設置された切り替えスイッチにより給湯飲用モードが選択されると、貯湯ユニットＢの制御装置１１がその信号を受け取る。この給湯飲用モード信号により貯湯タンク閉止弁４０が閉止し、給水閉止弁４１か開状態になる。制御装置１１がこの給湯飲用モーに切り替わったことを確認すると、スピーカー５から、ブザー音もしくは音声出力により給湯飲用モードであることを使用者に通報する。
【００２６】
（実施の形態３）
次に、飲用選択手段が操作された場合に、光または表示により使用者に給湯回路の切り換えを報知する報知手段の実施例について説明する。
【００２７】
リモコン１２に設置された切り替えスイッチにより給湯飲用モードが選択されると、貯湯ユニットＢの制御装置１１がその信号を受け取る。この給湯飲用モード信号により貯湯タンク閉止弁４０が閉止し、給水閉止弁４１か開状態になる。制御装置１１がこの給湯飲用モーに切り替わったことを確認すると、蛍光ランプ８０が点灯または点滅をおこなう。また電光表示部８５に飲用可能であることを表示して使用者に通報する。
【００２８】
（実施の形態４）
次に、飲用選択手段が操作された場合に、飲用選択手段の近くに設けられた音または音
声により使用者に給湯回路の切り換えを報知する報知手段、または光または表示により使用者に給湯回路の切り換えを報知する報知手段の実施例の実施例について図１を用いて説明する。
【００２９】
リモコン１２に設置された切り替えスイッチにより給湯飲用モードが選択されると、貯湯ユニットＢの制御装置１１がその信号を受け取る。この給湯飲用モード信号により貯湯タンク閉止弁４０が閉止し、給水閉止弁４１か開状態になる。制御装置１１がこの給湯飲用モーに切り替わったことを確認すると、リモコン１２に対し、切り替え完了信号を送信する。この切り替え完了信号をリモコン１２が受け取ると、リモコン１２上に取り付けられたスピーカー１２Ｂから、ブザー音もしくは音声出力により給湯飲用モードであることを使用者に通報する。
【００３０】
また同じく、替え完了信号をリモコン１２が受け取ると、リモコン１２に設置された蛍光ランプ１６の点灯、点滅。またはリモコン１２の表示部１８への報知文書の表示により給湯飲用モードであることを使用者に通報する。
【００３１】
（実施の形態５）
次に、飲用選択手段が操作された場合に、前記給湯経路の湯の出口の近くに設けられた音または音声により使用者に給湯回路の切り換えを報知する報知手段、または光または表示により使用者に給湯回路の切り換えを報知する報知手段の実施例の実施例について図１を用いて説明する。
【００３２】
リモコン１２に設置された切り替えスイッチにより給湯飲用モードが選択されると、貯湯ユニットＢの制御装置１１がその信号を受け取る。この給湯飲用モード信号により貯湯タンク閉止弁４０が閉止し、給水閉止弁４１か開状態になる。制御装置１１がこの給湯飲用モーに切り替わったことを確認すると、給湯栓６近傍に設置されたスピーカー５Ｂから、ブザー音もしくは音声出力により給湯飲用モードであることを使用者に通報する。
【００３３】
また同じく、制御装置１１がこの給湯飲用モーに切り替わったことを確認すると、給湯栓６近傍に設置された蛍光ランプ８０ｂの点灯、点滅。またはリモコン１２の電光表示部８５ｂへの報知文書の表示により給湯飲用モードであることを使用者に通報する。
【００３４】
（実施の形態６）
次に、図１をつかって飲用選択手段が操作された場合に、給水回路内の飲用に適さない汚水を完全に排出したかを判断して、そのことを利用者に報知する方法について説明する。
【００３５】
給湯栓６が開かれると、給水口８からの給水が給水管路Ｌ１を通り貯湯タンク９に導かれる。更に給水は給水管路Ｌ２からガス給湯装置Ａに導かれる。ガス給湯装置Ａを通過した給水は給水管路Ｌ３、水量制御弁１３、給水管路Ｌ４を通って給湯栓６から給湯される。
【００３６】
実施の形態１の場合においてリモコン１２の切り替えスイッチにより給湯飲用モードが選択されると貯湯タンク閉止弁４０が閉止し、給水閉止弁４１か開状態になる。この状態で給湯栓６が開けられると給水口８からの給水は貯湯タンク９内を通過することなく、給水管路Ｌ６、給水閉止弁４１を通って、給水管路Ｌ２を通って、ガス給湯装置Ａに導かれる、この時、給水温度はリモコン１２で設定された湯温より低いので、貯湯タンク９内の貯水が給水管路Ｌ２からガス給湯装置Ａに導かれる。この時、水量センサ４４の検出した流量が点火水量以上であれば、燃焼ファン３５が回転し、図示されていないガス元弁、ガス比例弁から供給されるガスによりバーナー３１が燃焼する。ガス給湯装置Ａに導かれた
設定温度より低い給水は熱交換器３２で加熱され、所定の湯温になって管路Ｌ３からガス給湯装置Ａから排出され給水管路Ｌ３から水量制御弁１３、給水管路Ｌ４を通り給湯栓３へ導かれる。この時、バイパス弁１４は閉止されている。
【００３７】
給湯栓６が開けられると貯湯ユニットＢの制御装置１１は、あらかじめ設定された遅延時間が経過後、スピーカー５から、ブザー音もしくは音声出力により給湯飲用モードであることを使用者に通報する。
【００３８】
この時あらかじめ設定された遅延時間は、給水回路内の飲用に適さない汚水を完全に排出可能な時簡に設定されている。
【００３９】
つぎに、水量センサの積算流量を使用して。給水回路内の飲用に適さない汚水を完全に排出したかを判断して、そのことを利用者に報知する方法について説明する。
【００４０】
前記給湯栓６があけられると、水量センサ１０が水量の積算カウントを開始する。貯湯ユニットＢの制御装置１１は、あらかじめ設定された積算水量に達すると、スピーカー５から、ブザー音もしくは音声出力により給湯飲用モードであることを使用者に通報する。
【００４１】
この時あらかじめ設定された遅延時間は、給水回路内の飲用に適さない汚水を完全に排出可能な時簡に設定されている。
【００４２】
前記の使用者に通報方法については実施の形態３、実施の形態４、実施の形態５の方法を利用してもより大きい効果を得ることができる。
【産業上の利用可能性】
【００４３】
本発明のコージェネレーションシステムによれば、意図的な人為的な操作により、安全に衛生的な飲用温水を供給することのできる給湯装置を提供することができる。
【符号の説明】
【００４４】
Ａ  ガス給湯装置
Ｂ  貯湯ユニット
Ｃ  発電ユニット
５  スピーカ
６  給湯栓
９  貯湯タンク
１２  リモコン
１３  水量制御弁
１４  バイパス弁
４０  貯湯タンク閉止弁
４１  給水閉止弁
４４  水量センサ
８０  蛍光ランプ
８５  電光表示
【図１】
2010276209.tif 000003
【図２】
2010276209.tif 000004